(57)【要約】【課題】画面サイズが小さく表示可能文字数が少ないコンテンツプレーヤでは、コンテンツ選択画面に表示するコンテンツ名称を短縮表示せざるを得ない。短縮処理により同一の名称となるコンテンツが存在すると、ユーザはそれらのコンテンツを判別できず、誤操作を生じる。【解決手段】コンテンツプレーヤの画面サイズに合致し、蓄積されているコンテンツを一意に識別できるようなコンテンツ識別子を生成する。この識別子をユーザに提示し選択させことで、画面表示サイズが小さいコンテンツデータ再生装置においても、ユーザは煩雑な操作をすることなく、コンテンツを容易に選択することができる。【選択図】図９
2007133731.tif 000002
【特許請求の範囲】
【請求項１】
コンテンツと、前記コンテンツを識別する第１のコンテンツ識別子を複数記憶するコンテンツ識別子記憶部と、
前記第１のコンテンツ識別子に対応する第２のコンテンツ識別子を生成するコンテンツ識別子生成部と、
前記第２のコンテンツ識別子を少なくとも１つ表示するコンテンツ識別子表示部と、
前記コンテンツ識別子表示部に表示された前記第２のコンテンツ識別子の中から、少なくとも１つを指定するコンテンツ指定部と、
前記コンテンツ指定部により指定された前記第２のコンテンツ識別子に対応する前記コンテンツを再生するコンテンツ再生部と
を備えるコンテンツデータ再生装置であって、
前記第２のコンテンツ識別子は、前記コンテンツ識別子記憶部が記憶している前記コンテンツを一意に識別するものである
ことを特徴とする、コンテンツデータ再生装置。
【請求項２】
前記第１のコンテンツ識別子と前記第２のコンテンツ識別子は文字列からなり、前記第２のコンテンツ識別子は、前記第１のコンテンツ識別子に含まれる文字を組み合わせることで構成され、その文字数は、前記第１のコンテンツ識別子の文字数より少ないか同数である
ことを特徴とする、請求項１記載のコンテンツデータ再生装置。
【請求項３】
前記コンテンツ識別子表示部は、前記コンテンツ識別子生成部が生成した複数の前記第２のコンテンツ識別子に対し、互いに類似度を算出し、前記類似度が一定値以上となる前記第２のコンテンツ識別子を強調表示することにより、ユーザに注視を促す
ことを特徴とする、請求項１または２に記載のコンテンツデータ再生装置。
【請求項４】
前記コンテンツ識別子表示部は、前記互いの類似度が一定値以上となる第２のコンテンツ識別子に対し、前記識別子を構成する文字列の互いに異なる個所を強調表示することにより、ユーザに注視を促す
ことを特徴とする、請求項３に記載のコンテンツデータ再生装置。
【発明の詳細な説明】
【技術分野】
【０００１】
本発明は、ハードディスク等の大容量蓄積装置に蓄積された大量コンテンツの中からユーザ所望のコンテンツを選択し再生する機能を備えた、コンテンツデータ再生装置に関する。
【背景技術】
【０００２】
近年、ホームＡＶサーバや車載ＡＶサーバ、携帯電話、ポータブルプレーヤなどの各種民生機器には、ハードディスクや半導体メモリデバイスなどの大容量蓄積装置が搭載され、音楽コンテンツや映像コンテンツを多量に蓄積することが可能になっている。これによりユーザは、予め音楽や映像を好きなだけ録音・録画しておき、蓄積済コンテンツの中から好きな時に自分の所望するコンテンツを選択して視聴することが可能となる。
【０００３】
従来、蓄積済みコンテンツからユーザ所望コンテンツを選択する手段としては、コンテンツを識別する名称（例えば音楽コンテンツの場合、歌手名や曲名など）を、装置に具備されたディスプレイ等の画像出力装置にリスト状の様態で列挙表示させ、その中からユーザが所望のものを選択することにより行われる方法がよく知られている。ここで、特にポータブルプレーヤなどの小型機器では、具備するディスプレイデバイスのサイズが小さいため、よみやすい適度な大きさの文字を用いた表示を行おうとすると、少ない文字数しか表示できない。このため、リスト形式として一度に列挙表示できる情報量が制限され、ユーザの選択操作に支障が出ることがある。これに対し、従来より、ディスプレイデバイスが小さい機器においても、ユーザが容易に選択操作できるようにするための様々な技術が開示されている。
【０００４】
例えば、リスト形式として同時に画面表示可能なコンテンツ名称の数が少数であるために、所望のコンテンツを画面表示させるために多くの操作を必要とすることがある。たとえば、多量の蓄積済みコンテンツリストの後半に所望のコンテンツが存在した場合などはこの問題が顕著となる。これに対し、回転入力可能なスクロールデバイスを具備することにより、高速に表示領域を変えながら所望コンテンツの選択を行うことにより解決を図るものが開示されている（例えば、特許文献１参照）。
【０００５】
また、各々のコンテンツに割り当てられる表示領域が小さいため、長い名称をもつコンテンツに対しては、コンテンツ名称を短縮して表示せざるを得ず、これにより、複数のコンテンツ名称が類似してしまいユーザ操作に支障が出ることがある。これに対し、リスト表示するコンテンツ名称のうちユーザが指定したコンテンツとそれ以外のコンテンツとで表示領域サイズを変えることにより解決を図るものが開示されている（例えば、特許文献２参照）。これによれば、ユーザが指定していないコンテンツの名称表示領域は小さく割り当ててコンテンツ名称の一部だけを簡略表示する一方で、ユーザが指定したコンテンツの名称表示領域は大きく割り当ててコンテンツ名称を全て表示させるようにすることで、ユーザの所望するコンテンツがどれなのかを識別できるようにしたものである。
【特許文献１】特表２００５−５０７１１２号公報
【特許文献２】特許第２９７９１５３号公報
【発明の開示】
【発明が解決しようとする課題】
【０００６】
しかしながら、上記特許文献１や特許文献２に開示されている従来のコンテンツデータ再生装置では、コンテンツ選択操作において次のような課題が存在する。このことを図を用いて説明する。
【０００７】
図２は従来のコンテンツデータ再生装置におけるコンテンツ選択画面の一例である。この画面は、コンテンツデータ再生装置に予め図１（ａ）に示したような複数の音楽アルバムデータが蓄積されており、その中からユーザの所望するアルバムを選択させる際に装置がユーザに提示する画面である。この例では、コンテンツデータ再生装置の具備するディスプレイデバイスの大きさにより、アルバム名称を５つ分しか表示させることができないため、装置に蓄積されているアルバムデータのうち、２０１〜２０５に示す５つを抽出してリスト状の様態に表示している。ここで、ユーザが図示しないリモコンやタッチパネル等の入力デバイスを操作することにより所望のアルバム名称を指定し、選択することで所望のアルバム視聴を行うことができる。図２では、ユーザが２０２のアルバムを指定している状態であることを示すために、アルバム２０２が他のアルバム２０１、２０３〜２０５と異なる強調表示を行っている例である。
【０００８】
一般に、コンテンツ名称はコンテンツ製作者の意図により決定されるので、その名称や長さは任意であり、図１に示すように、あるアーティスト「山田太郎」が「山田太郎シングルコレクション１９８０−１９９０」、「山田太郎シングルコレクション１９９０−２０００」といったような、文字数が多く、また、互いに類似した名称のアルバムをリリースすることは往々にしてある。従来のコンテンツデータ再生装置における課題は、ディスプレイデバイスの大きさにより、各コンテンツに対し名称を表示できる領域が十分に確保できないため、ディスプレイの表示可能領域にあわせてコンテンツ名称の先頭から一定文字数だけを表示する短縮表示が行われている。このため、簡略表示により複数のコンテンツが同一の表示内容で表示されてしまい、ユーザ所望のコンテンツがどれなのかを判断できないことがある。具体的には、２つのアルバム「山田太郎シングルコレクション１９８０−１９９０」、「山田太郎シングルコレクション１９９０−２０００」のうち、ユーザが「山田太郎シングルコレクション１９８０−１９９０」を選択しようとする場合、短縮表示によりそれらがともに「山田太郎シングルコレクション１」となり、互いに識別できない表示となってしまっている。この場合ユーザはどちらが所望のコンテンツなのかを判断できぬまま任意の一方を選択せざるを得ず、誤操作につながるため、極めて操作性が悪い。
【０００９】
一方、図３（ａ）〜図３（ｃ）は上記の課題解決を試みた従来のコンテンツデータ再生装置におけるコンテンツ選択画面の例である。この例では、ユーザが指定したコンテンツとそれ以外のコンテンツとで表示する領域の大きさを変えることで、コンテンツ名称が簡略表示されることにより判別できなくなる課題を解決しようとしたものである。図３（ａ）ではアルバム「ＢＯＬＥＲＯ」が指定状態にあり、そのコンテンツ名称３１１が他のコンテンツ名称３０２〜３０５と比較して大きく表示されている。この状態では、「山田太郎シングルコレクション１９８０−１９９０」のコンテンツ名称表示３０２と「山田太郎シングルコレクション１９９０−２０００」のコンテンツ名称表示３０３がともに「山田太郎シングルコレクション１」と簡略表示され、それらは互いに判別できない状態になっている。次に、ユーザが図示しないリモコン装置などの入力デバイスにより、アルバム指定対象を変化させた時の画面表示が図３（ｂ）である。図３（ａ）では「山田太郎シングルコレクション１」と短縮表示されていた名称３０２が、図３（ｂ）では表示領域を大きく確保することで「山田太郎シングルコレクション１９８０−１９９０」と簡略しないコンテンツ名称３１２を表示できるようになる。さらにユーザがアルバム指定対象を変化させた図３ｃでは「山田太郎シングルコレクション１９９０−２０００」と簡略しないコンテンツ名称３１３を表示できるようになる。以上の一連の操作によりユーザが所望のコンテンツを判別し誤操作なく選択できるようにしている。
【００１０】
しかしながら、この例における課題は、簡略表示状態のままでは判別できないコンテンツが依然として存在しうることである。このため、所望するコンテンツを特定するために、コンテンツを適宜指定状態にしてコンテンツ名称の簡略表示を解除する必要があり、コンテンツ選択までに時間を要し、操作が非常に煩雑なものとなる。また、ユーザの入力デバイスとしてタッチパネルなどのデバイスを使用した場合では、リモコンでの操作のように「コンテンツを指定→選択」という手順を踏まず「コンテンツ名称を直接タッチしてコンテンツ選択」というステップで操作できることが最大メリットであるのに、図３（ａ）のようにコンテンツが判別できない状態ではどちらのコンテンツ名称をタッチすればよいか判別できず、非常に不便である。
【００１１】
そこで、本発明の目的は、とくに画面表示サイズに制限があるコンテンツデータ再生装置において、ユーザが煩雑な操作をすることなく、コンテンツを容易に選択することができるコンテンツデータ再生装置を提供することである。
【課題を解決するための手段】
【００１２】
かかる目的を達成するために、本発明にかかるコンテンツデータ再生装置は、コンテンツ（例えば音楽アルバムなど）と、前記コンテンツを識別する第１のコンテンツ識別子（例えばアルバム名称など）を複数記憶するコンテンツ識別子記憶部と、第１のコンテンツ識別子に対応し、画面表示サイズに合致するよう短縮した第２のコンテンツ識別子を生成するコンテンツ識別子生成部と、第２のコンテンツ識別子をディスプレイに表示してユーザに提示するコンテンツ識別子表示部と、表示された第２のコンテンツ識別子の中から、ユーザが所望するコンテンツを指定するコンテンツ指定部と、ユーザが指定した第２のコンテンツ識別子に対応するコンテンツを再生するコンテンツ再生部とを備えるコンテンツデータ再生装置であって、短縮表示される第２のコンテンツ識別子は、コンテンツ識別子記憶部が記憶しているコンテンツを一意に識別するものであることを特徴としている。
【発明の効果】
【００１３】
本発明によれば、コンテンツを一意に識別可能であるようなコンテンツ識別子であり、かつ、それが画面表示サイズに合致するようなコンテンツ識別子を生成してユーザに選択させるようにしているため、画面表示サイズが小さいコンテンツデータ再生装置においても、ユーザは煩雑な操作をすることなく、コンテンツを容易に選択することができる。より具体的には、図１（ｂ）に示すように、互いによく似た名称をもつ複数アルバムの中から所望のアルバムを選択する場合においても、ユーザにその名称の違いを小さい画面内に明確に提示することができるので、ユーザはコンテンツ選択操作を容易に行うことが可能となる。
【発明を実施するための最良の形態】
【００１４】
以下、本発明の実施の形態を図面に基づいて説明する。
【００１５】
（実施の形態１）
図４に、本発明の実施の形態におけるコンテンツデータ再生装置の機能構成を示すブロック図を示す。コンテンツデータ再生装置４００は、コンテンツ識別子記憶部４０１と、コンテンツ識別子生成部４０２と、コンテンツ識別子表示部４０３と、コンテンツ指定部４０４と、コンテンツ再生部４０５と、から構成される。
【００１６】
また、図５に、本発明の実施の形態におけるコンテンツデータ再生装置４００の具体的構成を示す。コンテンツデータ検索装置４００は、コンテンツデータと各々のコンテンツデータに関する属性情報とを蓄積するたとえばＨＤＤなどの蓄積デバイス５０１と、映像コンテンツと、コンテンツに付随する各種情報と、コンテンツ再生装置を操作するための操作メニューをユーザに提示し、さらに画面をタッチすることで操作メニューの選択を行うことができるタッチパネル式のモニタ５０３と、音声コンテンツをユーザに提示する例えばヘッドホン形式のスピーカ５０４と、蓄積デバイス５０１に蓄積されているコンテンツ識別子の情報をもとに、ユーザにコンテンツを選択させるための第２のコンテンツ識別子を生成するＣＰＵ５０２とからなる。
【００１７】
以上のような構成において、コンテンツ識別子記憶部４０１は、コンテンツデータおよび各々のコンテンツデータに関連付けられた複数の属性値を蓄積するもので、たとえばＨＤＤなどの蓄積デバイス５０１や、着脱可能なメモリーカードなどが相当する。ここでいうコンテンツデータとは、音楽データや映像データ、あるいは小説などの文章データ様々な種類のコンテンツデータが考えられるが、たとえば音楽データの場合、ある楽曲コンテンツに関する属性データとして、楽曲の曲名、アーティスト名、ジャンル、アルバム名、楽曲の再生時間などのように楽曲を識別するために固有の情報すなわちコンテンツ識別子が格納されている。図６にコンテンツ識別子記憶部４０１が格納している楽曲属性データの例を示す。
【００１８】
コンテンツ識別子生成部４０２は、コンテンツ識別子記憶部４０１によって記憶されているコンテンツ識別子をもとに、ユーザにコンテンツを選択させるための識別情報となる第２のコンテンツ識別子を生成するもので、ＣＰＵ５０２とそこで動作するコンテンツ識別子生成プログラムが相当する。
【００１９】
コンテンツ識別子表示部４０３は、コンテンツ識別子生成部４０２によって生成された第２のコンテンツ識別子を映像情報としてユーザに提示するもので、モニタ５０３が相当する。なお本実施の形態では、識別子をユーザに提示する手段として映像情報を使用しているが、ガイド音声などの音声情報をスピーカ５０４から提示する形態でもよい。
【００２０】
コンテンツ指定部４０４は、コンテンツ識別子記憶部４０１にどのようなコンテンツが蓄積されているかをユーザに提示し、その中から所望のコンテンツを指定するための手段を与えるもので、タッチパネル式のモニタ５０３が相当する。なお、コンテンツを指定するための手段として、リモコンなどのデバイスを用いる形態としてもよい。
【００２１】
コンテンツ再生部４０５は、コンテンツ識別子記憶部４０１に蓄積されているコンテンツデータのうち、コンテンツ指定部４０４によって指定されたコンテンツを再生しユーザに提示するもので、映像コンテンツを提示するモニタ５０３および音声コンテンツを提示するスピーカ５０４が相当する。なお本実施の形態では映像コンテンツと音声コンテンツとを両方ユーザに提供できる形態をとったが、音声コンテンツのみという形態でもよい。
【００２２】
次に、上記構成の実施の形態１のコンテンツデータ再生装置の動作について説明する。図７は、コンテンツデータ再生装置４００の動作の全体の流れを示したフローチャートである。
【００２３】
まず始めに、コンテンツデータ再生装置は、蓄積デバイス５０１に蓄積されているコンテンツの中からユーザ所望のコンテンツを選択させるにあたって、コンテンツの識別子としてユーザに提示する第２のコンテンツ識別子を生成する（Ｓ７１）。この処理は必ずしもコンテンツデータ再生装置を起動するたびに毎回実行する必要はなく、初めてコンテンツデータ再生装置を起動させたときや、蓄積デバイス５０１に新たにコンテンツを追加したときなど、蓄積コンテンツが変化したタイミングで実行し、その結果を蓄積デバイス５０１に蓄積しておくようにすることで、次回起動時はコンテンツ識別子生成処理を行わず、蓄積済みの第２のコンテンツ識別子を使用するようにしてもよい。
【００２４】
次に、生成された第２のコンテンツ識別子をユーザに提示するため、リスト状の様態になるよう識別子を複数個並べてモニタ５０３に表示する（Ｓ７２）。このとき表示される画面例が図１（ｂ）である。この例では、図１（ａ）に示すような名称をもつアルバムコンテンツに対し、モニタ５０３の画面横幅に合致する長さに短縮された第２のコンテンツ識別子を５つ並べて表示している。
【００２５】
次にコンテンツデータ再生装置は、ユーザが所望するコンテンツを指定する入力を受け付ける（Ｓ７３）。この状態で、ユーザが、タッチパネル式のモニタ５０３に表示されたコンテンツ識別子をタッチ操作することで所望コンテンツを選択すると、指定されたコンテンツの音声情報をヘッドホンなどのスピーカ５０４により、また、同コンテンツの映像情報をモニタ５０３により再生する（Ｓ７４）。具体的には、図１（ｂ）において提示されているコンテンツ識別子１０１〜１０５の中から、ユーザが所望するコンテンツのコンテンツ識別子をタッチすることで、該当するコンテンツの再生が開始される。また、この画面では、リストを上下にスクロールさせて第２のコンテンツ識別子の表示内容を変化させるためのスイッチ１１０を提示している。スクロールボタン１１０をタッチ操作することで、蓄積デバイス５０１に蓄積されている全コンテンツに対する第２のコンテンツ識別子を表示させることができる。
【００２６】
コンテンツの再生が開始された後、図示しないコンテンツ指定開始ボタン押下操作により、ユーザが再度コンテンツ指定を行う場合（Ｓ７５で継続）、再び第２のコンテンツ識別子を提示する処理（Ｓ７２）に戻り、改めてコンテンツ選択を継続する。また、コンテンツ再生を停止するよう操作された場合、（Ｓ７５で終了）、コンテンツデータ再生装置はコンテンツの再生を終了し、処理を終了する。
【００２７】
図８は、図７に示される第２のコンテンツ識別子生成処理（Ｓ７１）のサブルーチンを示すフローチャートである。
【００２８】
この第２のコンテンツ識別子生成処理においては、まず、１つのコンテンツあたりの第２のコンテンツ識別子としてモニタに表示することができる文字数を取得する（Ｓ８１）。具体的には、モニタのサイズ、解像度といったモニタのスペックと、表示すべき文字の大きさなどの情報からあらかじめ設計される文字数を表示可能最大文字数とする。
【００２９】
次に、蓄積されている全コンテンツに対して以下の処理を行う（Ｓ８２）。すなわち、蓄積されている全コンテンツのうち、ある一つのコンテンツに対する第１のコンテンツ識別子を取得し（Ｓ８３）、それが表示可能最大文字数以下か否かを判断する（Ｓ８４）。それが表示可能数を超えるなら（Ｓ８４でＮｏ）、第１のコンテンツ識別子の文字列を表示可能数以下に短縮した文字列を仮の識別子として設定する（Ｓ８５）。この処理は、公知の技術により行い、具体的には、第１のコンテンツ識別子を構成する文字列のうち、先頭から表示可能数だけ抽出したものを仮識別子とする。例えば、表示可能最大文字数が１５で、第１のコンテンツ識別子が「山田太郎シングルコレクション１９８０−１９９０」というアルバム名の場合、先頭から１５文字を抽出した「山田太郎シングルコレクション１」という文字列を仮識別子に設定する。このとき、文字列を短縮したことを示すため,仮識別子の文字列の最後の文字を「．．．」等の文字列に置き換えてもよい。一方、第１のコンテンツ識別子が表示可能最大文字数以下であれば、（Ｓ８４でＹｅｓ）、取得した第１のコンテンツ識別子をそのまま仮識別子として設定する（Ｓ８６）。
【００３０】
全てのコンテンツに対して仮識別子の生成が完了すると、次に、生成された仮識別子のうち、完全に一致する識別子が存在しないか否かを判定する（Ｓ８７）。つまり、もともとは異なる文字列から構成されていた第１のコンテンツ識別子が、先頭から表示可能数だけ抽出することにより、仮識別子では同じ文字列になっていないかをチェックする。そして、仮識別子が一致しているコンテンツが存在した場合（Ｓ８７でＹｅｓ）、それらのコンテンツの識別子が異なるものになるよう、仮識別子を修正する（Ｓ８８）。具体的には、「山田太郎シングルコレクション１９８０−１９９０」および「山田太郎シングルコレクション１９９０−２０００」という２つのアルバムがともに「山田太郎シングルコレクション１」という仮識別子として生成されたとき、これらを異なる識別子とするために以下のような処理を行う。まず、再度第１のコンテンツ識別子を構成する文字列を比較し、２つのコンテンツのうち異なる文字を検索する。そして、その異なる文字を開始文字として、予め設定されている文字数の文字列を相違文字列として抽出する。例えば「８０−１９９０」と「９０−２０００」といった具合である。もし開始文字以降の文字数が少ない場合、開始文字をさらに前の文字に変更して文字列を抽出し、「１９８０−１９９０」「１９９０−２０００」としてもよい。次に、第１のコンテンツ識別子を構成する文字列の先頭から、表示可能文字列数から相違文字列の文字数を引いた値だけの文字列を重複文字列として抽出し、先の相違文字列と合成することにより「山田太郎シングル．．．１９８０−１９９０」「山田太郎シングル・・・１９９０−２０００」を生成する。なおこの例では、重複文字列最後部の文字を「．．．」という文字と置換することで、文字が省略されていることをユーザに提示している。なお、第１のコンテンツ識別子が表示可能文字数以下でありかつ同一文字列からなるコンテンツが存在した場合（たとえば、異なる歌手で「さくら」という同名アルバムが存在した場合）は、相違文字列として歌手名などの他の識別子を付加するようにしてもよい。
【００３１】
このようにして仮識別子を修正したのち、再度仮識別子の重複が生じていないかを判定し（Ｓ８７）、重複がなければ（Ｓ８７でＮｏ）、仮識別子を第２のコンテンツ識別子として設定する。
【００３２】
図９（ｂ）は、図７に示される第２のコンテンツ識別子提示処理（Ｓ７２）において、ユーザに提示される画面例を示す図である。この画面例は、蓄積済みコンテンツとして図９（ａ）のようなアルバムが蓄積されている場合の例である。図９（ｂ）より明らかなとおり、アルバム名称が長く先頭から一定数文字だけ表示するようにするとコンテンツの識別ができなくなってしまう「山田太郎シングルコレクション１９８０−１９９０」および「山田太郎シングルコレクション１９９０−２０００」が、それぞれ「山田太郎シングル．．．１９８０−１９９０」および「山田太郎シングル．．．１９９０−２０００」と表示されることにより、コンテンツの識別が可能となっている。また、異なるアーティストの同名のアルバム「さくら」について、アルバム名だけではどちらのアルバムがユーザ所望のアルバムなのか判別できないが、歌手名を連結して「さくら（森山花子）」「さくら（田中隆）」と表示することにより、コンテンツの識別が可能となっている。
【００３３】
ここで説明した実施の形態は、おもにユーザが画面を注視してタッチパネル操作によりコンテンツ指定操作を行うことを想定した画面例であるが、車載端末への応用を考えた場合に運転中の操作も想定されるなど、画面を注視することなく主に音声を用いた操作も必要であると考えられる。例えば、第２のコンテンツ識別子をユーザに発話させ、それを音声認識することでコンテンツ指定を行うような形態も考えられる。ここで、画面操作および音声操作というこれら２つの操作体系は、ユーザにどちらかを自由に選択できるようにしてもよいし、例えば自動車が走行中かどうかを検知するセンサと連動し、走行中なら音声操作、停止中ならタッチパネル操作、というように自動的に切り替えるようにしても良い。
【００３４】
以上のように、本実施の形態のコンテンツデータ再生装置では、ユーザに提示されるコンテンツ識別子が一意なものとなるため、ユーザは煩雑な操作を行わなくても、所望するコンテンツをご操作なく選択して視聴することが出来る。
【産業上の利用可能性】
【００３５】
本発明にかかるコンテンツデータ再生装置は、とくに画面表示領域に制限のあるポータブルプレーヤや車載機器として実施される、各種コンテンツ再生装置への応用が有用である。
【図面の簡単な説明】
【００３６】
【図１】本発明において、コンテンツ識別子をユーザに提示する画面例を示す図
【図２】従来技術において、コンテンツ識別子をユーザに提示する一つの画面例を示す図
【図３】従来技術において、コンテンツ識別子をユーザに提示するもう一つの画面例を示す図
【図４】本発明の実施の形態のコンテンツデータ再生装置の構成を示すブロック図
【図５】本発明の実施の形態のコンテンツデータ再生装置の具体的構成を示した構成図
【図６】楽曲コンテンツ毎に蓄積しておく識別情報の例を示す図
【図７】本発明の実施の形態のコンテンツデータ再生装置の全体動作を示すフローチャート
【図８】図７に示される第２のコンテンツ識別子生成処理（Ｓ７１）のサブルーチンを示すフローチャート
【図９】本発明において、コンテンツ識別子をユーザに提示するもう一つの画面例を示す図
【符号の説明】
【００３７】
１００〜１０５    本発明によって提示されるコンテンツ識別子
１１０    スクロールボタン
２０１〜２０５    従来技術によって短縮提示されるコンテンツ識別子
３０１〜３０５    従来技術によって縮小提示されるコンテンツ識別子
３１１〜３１３    従来技術によって拡大表示されるコンテンツ識別子
４００    コンテンツデータ再生装置
４０１    コンテンツ識別子記憶部
４０２    コンテンツ識別子生成部
４０３    コンテンツ識別子表示部
４０４    コンテンツ指定部
４０５    コンテンツ再生部
５０１    蓄積デバイス
５０２    ＣＰＵ
５０３    モニタ
５０４    スピーカ
９０１〜９０５    本発明によって提示されるコンテンツ識別子
【図１】
2007133731.tif 000003
【図２】
2007133731.tif 000004
【図３】
2007133731.tif 000005
【図４】
2007133731.tif 000006
【図５】
2007133731.tif 000007
【図６】
2007133731.tif 000008
【図７】
2007133731.tif 000009
【図８】
2007133731.tif 000010
【図９】
2007133731.tif 000011